(57)【特許請求の範囲】
【請求項１】
発光部と、
前記発光部の発光についての各種制御を行う制御部と、
前記発光部に対する制御信号であって前記発光部の状態を確認するための所定の確認制御信号を記憶する記憶部と、を備え、
前記制御部は、
電源のＯＮおよびＯＦＦの状態を検知する電源状態検知処理を行うものであり、
前記電源状態検知処理において、電源状態のＯＦＦからＯＮを検知した直後に前記所定の確認制御信号を送信する処理を行うことを特徴とする照明装置。
【請求項２】
前記確認制御信号は、前記発光部に対し、点灯、消灯、調光のいずれかを指示する信号であることを特徴とする請求項１に記載の照明装置。
【請求項３】
複数の前記確認制御信号は、それぞれ送信される順番に関する情報と関連付けて記憶され、最初に送信される前記確認制御信号は、消灯を指示する信号以外の信号であることを特徴とする請求項１又は２に記載の照明装置。
【請求項４】
発光部と、
前記発光部の発光についての各種制御を行う制御部と、
前記発光部に対する制御信号であって前記発光部の状態を確認するための所定の確認制御信号を記憶する記憶部と、を備える照明装置において、
前記制御部が、
電源のＯＮおよびＯＦＦの状態を検知する電源状態検知処理を行い、
前記電源状態検知処理において、電源状態のＯＦＦからＯＮを検知した直後に前記所定の確認制御信号を送信する処理を行うことを特徴とする照明装置の点灯方法。
【発明の詳細な説明】
【技術分野】
【０００１】
本発明は、主に生活道路や街路などに設置される街路灯、防犯灯又は道路灯等として用いられる照明装置およびその照明装置の点灯方法に関する。
【背景技術】
【０００２】
低消費電力の発光素子（ＬＥＤ）を光源にした照明装置は、一般家庭はもとより商業施設等でも多く設置され、屋外に設置する街路灯等の照明装置への採用も進んでいる。
【０００３】
このように、特に屋外に設置されて街路灯等として使用される照明装置は、地域の安全等に重大な影響を与えるため、その点検・保守が重要であり、故障の際には迅速な復旧が求められるが、こうした照明装置の点検等については、制御装置が複数の照明装置と接続され、照明装置に対して電圧等の状況を常時監視することで、複数の照明装置について異常等を検知できるものが知られている（例えば、特許文献１）。
【先行技術文献】
【特許文献】
【０００４】
【特許文献１】特開２００５−１８２６６１号公報
【発明の概要】
【発明が解決しようとする課題】
【０００５】
上述のように、地域の安全等に大きな影響を与え野外設置の照明装置については、特に、実際に故障等により屋外照明装置が正常に動作していない場合、その復旧作業は、復旧作業後の動作正常性確認も含めて迅速に行われる必要がある。
【０００６】
しかしながら、街路灯等の野外に設置される照明装置は、屋内の照明装置等と比較して高所に設置されており、風雨から内部の光源等を保護するため外装等が複雑かつ強固な設計となっているため、点検・保守又は修理の作業のみならず、作業後の動作正常性確認についても、手間と時間がかかる傾向にある。
【０００７】
この点、特許文献１に掲載の技術によれば、制御装置が複数の照明装置と接続され、照明装置に対して電圧等の状況を常時監視することで、複数の照明装置について異常等を検知できるものであるものの、照明装置に対して実際に点検・保守、修理等の作業を行った後の作業者に、発光動作の正常性を直截的に認識させるものではないので、保守、修理等の作業後の動作点検に資するものではない。
【課題を解決するための手段】
【０００８】
本発明は以上の点に鑑みなされたものであり、以下のような特徴又はステップに係るものである。
（１）本発明は、発光部と、前記発光部の発光についての各種制御を行う制御部と、前記発光部に対する制御信号であって前記発光部の状態を確認するための所定の確認制御信号を記憶する記憶部と、を備え、前記制御部は、電源のＯＮおよびＯＦＦの状態を検知する電源状態検知処理を行うものであり、前記電源状態検知処理において、電源状態のＯＦＦからＯＮを検知した直後に前記所定の確認制御信号を送信する処理を行うことを特徴とする。
（２）本発明において、前記確認制御信号は、前記発光部に対し、点灯、消灯、調光のいずれかを指示する信号であることを特徴とする。
（３）本発明において、複数の前記確認制御信号は、それぞれ送信される順番に関する情報と関連付けて記憶され、最初に送信される前記確認制御信号は、消灯を指示する信号以外の信号であることを特徴とする。
【発明の効果】
【０００９】
本発明によれば、照明装置の異常に際し、電源リセット（ＯＦＦ／ＯＮ）した際、照明装置を通常の動作状態にする前に、発光部に所定の点灯、消灯又は調光といった所定の動作を自動的に行うようにさせるので、作業者にとって、発光部の発光状態が目視で直ちに確認でき、かつ、点検・保守作業に時に通常行われる電源のＯＦＦ／ＯＮの動作に付随して光源部の発光状態を確認できるので、作業者に動作の正常性確認について別途何かしらの操作を強いることがなく、動作正常性確認に係る時間を短くでき、かつ、その手間を低減することができる。
【図面の簡単な説明】
【００１０】
【図１】本発明に係る照明装置の分解図である。
【図２】本発明に係る照明装置のブロック図である。
【図３】本発明第１の実施例に係る処理手順を示すフローチャート図である。
【発明を実施するための形態】
【実施例１】
【００１１】
以下、本発明に係る照明装置について、まず図１に基づいて、主にその構造について説明する。図１に示すように、本発明に係る照明装置１は、主に、上面カバー２、透光カバー３、発光部５、電源部８からなる。
【００１２】
上面カバー２は、例えばアルミダイキャストなどの耐食性に優れた素材により一体成形されるもので、透光カバー３と蓋体４はこの上面カバー２の開口部を塞ぐように取り付けられる。透光カバー３はシールパッキンを介在させ、取付ボスによりネジ止めされる。蓋体４は、内部機器等の調整やメンテナンスが容易なように蝶番により開閉可能に連結される。
【００１３】
上面カバー２および透光カバー３とにより形成される空間に、例えばＬＥＤといった発光素子５ａを配設した発光部５が収容される。発光部５としての複数の発光素子５ａは、同一色である必要はなく、適宜発光色の異なる発光素子５ａを配置するものであってもよい。
【００１４】
上面カバー２には、熱伝導板等を介して発光部５による発熱を吸収し装置外部へ放散するためのヒートシンク２ａが一体に成形される。
【００１５】
上面カバー２内には、電源部８が配置される。電源部８は商用交流電源を電圧変換した直流の駆動電源をリード線等を介して光源部５に供給するための装置および回路等の各種手段が備えられる。具体的には、商用交流電源を降圧した直流に変換する整流回路、制御信号およびその他情報を処理しそれらに応答して発光部５の発光の状態を制御する制御部１０としての制御回路、発光部５を発光させるための点灯回路１２等である。
【００１６】
また、特に図示しないが、無線通信による制御信号を受信しその制御信号を制御部１０に送る無線受信部１６を備える。それら回路を実装した配線基板８ｃが電源部８の筐体ケース８ａ内に収容される。
【００１７】
続いて、照明装置１の発光方法について説明する。図２の照明装置１に係るブロック図に示すとおり、照明装置１は、発光部５と、発光部５の点灯、消灯及び調光等を行う点灯回路１２と、制御回路１０を備える。また、特に図示しないが、制御回路１０等の電源部８に電力の供給をＯＮ／ＯＦＦするための電源スイッチ１８を備える。
【００１８】
制御部１０は、各種信号による情報を処理するためのプロセッサ等の処理装置と、基準となる閾値、周囲照度取得部８ｇ−１により検出された照度値に係るデータ及びその他照明装置１の動作に必要な情報及びプログラムを記憶する記憶装置を備える。
【００１９】
照明装置１の発光部５の点灯消灯等の発光状態の制御は、従来既知の方法を適宜採用してよいが、例えば、無線通信により制御されるものであってよい。例えば、無線送信手段２０を備え、外部の制御装置から送信される制御命令を受信し、その制御命令に応じた制御をするようにする。
【００２０】
無線通信の規格についても、Ｗｉ−Ｆｉ、Ｂｌｕｅｔｏｏｔｈ（登録商標）などといった従来既知の無線通信に係る規格を適宜採用してよい。無線送信手段２０は、携帯情報端末をはじめとする単体の装置であってもよいが、例えばコンピュータとアクセスポイント等の送信手段を接続し所定のコンピュータプログラムで制御した一連の装置としてもよい。
【００２１】
続いて、照明装置１の制御部１０の処理の流れについて図３に基づき説明する。照明装置１は、屋外に設置される街路灯等として使用される照明装置を想定しているので、電源スイッチ１８が頻繁にＯＮ／ＯＦＦされることはなく、通常は常時ＯＮ状態である。
【００２２】
作業者が、点検・保守等の作業の際、照明装置１の電源状態をＯＮ状態からＯＦＦ状態にする。ＯＦＦ状態で、各種点検や確認作業を行い、電源スイッチ１８を操作し、電源をＯＮ状態にする（Ｓ０１）
【００２３】
電源がＯＮ状態になったことを制御部１０が検知した場合、制御部１０は、通常の動作状態にする前に、予め設定されている発光部５が正常に動作するかを確認するための確認制御信号を点灯回路に送る（Ｓ０２）。
【００２４】
当該確認制御信号は、発光部５に対する点灯、消灯又は調光等に係る各種命令であってよく、またそれらの組み合わせであってよい。電源状態をＯＦＦ状態からＯＮ状態に戻した直後に行われる処理であるので、ＯＮ状態にされた後、最初の確認制御信号は、点灯命令であることが望ましい。
【００２５】
異なる命令の確認制御信号を連続して送るようにすれば、電源をＯＮ状態にしてからの短時間で手間を掛けず発光部５の動作確認をすることができる。例えば、順に「点灯、消灯、点灯、消灯」命令の確認制御信号を送るようにした場合、正常動作であれば、発光部５が点滅を２回行えば正常に動作していると確認できる。
【００２６】
この他、順に「点灯、消灯、点灯、調光」命令の確認制御信号を送るようにすれば、調光についての動作確認もすることができる。また、発光部５が、異なる複数の発光色の発光素子を備えている場合、同じ発光色の発光素子毎に順次点灯させる命令をする一連の確認制御信号を送るようにしてもよい。
【００２７】
制御部１０は、予め記憶されている確認制御信号の送信が終了した場合、照明装置１の動作を通常の動作状態にする（Ｓ０３）。
【００２８】
本発明によれば、点検や保守の作業において、作業者が通常行う、照明装置１の電源状態をＯＮ／ＯＦＦする作業に伴い、発光部５の動作確認が行われるものであるので、作業者の確認の手間が軽減され、動作確認にかかる時間も短縮することできる。
【符号の説明】
【００２９】
１  照明装置
５  発光部
１０  制御部
１２  点灯回路
１６  制御信号受信部
【要約】
【課題】照明装置の点検や修理作業後に行う動作の正常性確認において、作業者に別途何かしらの操作を強いることがないように、動作正常性確認に係る時間を短縮し、その手間を低減する。
【解決手段】発光部と、発光部の発光についての各種制御を行う制御部と、発光部に対する制御信号であって発光部の状態を確認するための所定の確認制御信号を記憶する記憶部と、を備え、制御部が、電源のＯＮおよびＯＦＦの状態を検知する電源状態を検知し電源状態のＯＦＦからＯＮを検知した直後に所定の確認制御信号を送信する処理を行う。
【選択図】図３【図１】
0005987129.tif 000002
【図２】
0005987129.tif 000003
【図３】
0005987129.tif 000004